(57)【要約】【課題】名刺入れとカードホルダーの両方の機能を兼ね備え、しかも名刺交換の際に名刺を迅速に取り出すことができる携帯用ケースを提供する。【解決手段】携帯用ケース１の４つの開口２９に名刺Ｃの四隅をそれぞれ差し込み、名刺Ｃを保持させる。次に、携帯用ケースの表面を見せるようにしてストラップ４１を首にかけ、携帯用ケース１を名札として使用する。また、ストラップ４１のクリップ４２によって胸ポケットを挟んで使用することもできる。名刺交換の際には蓋部６を開いて、箱状部５から名刺Ｃを取り出す。イベント等で携帯用ケース１に名刺を入れて名札として使用しているとき、名刺入れを鞄等からいちいち取り出さずに、首にかけた携帯用ケースから名刺を容易に取り出すことができる。よって、名刺交換の際に名刺を迅速に取り出すことが可能である。【選択図】        図７
2014041288.tif 000002
【特許請求の範囲】
【請求項１】
開口部を有する浅い箱状の箱状部と前記箱状部に設けられ前記開口部を閉鎖した閉鎖状態と開放した解放状態とに動作可能な蓋部とから成るケース本体と、前記蓋部を閉鎖状態に保持する蓋部保持手段と、前記ケース本体に設けられケース本体を身に着けるためにストラップ等の装着用具を連結するための連結部と、前記名刺ケース本体の表面または裏面の少なくとも一方にネームカードを保持するネームカード保持手段を具備することを特徴とする携帯用ケース。
【請求項２】
請求項１に記載された携帯用ケースにおいて、ネームカード保持手段はネームカードの四隅を差し込んで保持する差込み部によって構成されていることを特徴とする携帯用ケース。
【請求項３】
請求項１または２に記載した携帯用ケースにおいて、蓋部には内側と外側とを連通させる連通孔が形成されていることを特徴とする携帯用ケース。
【発明の詳細な説明】
【技術分野】
【０００１】
本発明は携帯用ケースに係り、特にカードホルダーとしての機能を併せ持つ携帯用ケースに関するものである。
【背景技術】
【０００２】
名刺は一般的に、皮革、プラスチック等で構成された名刺入れに収納し、これを鞄や上着のポケットに入れて持ち歩く。そして、名刺交換の際は鞄やポケットから名刺入れを取り出し、その名刺入れから名刺を取り出す。
【０００３】
一方、イベント等では身分を明らかにするため、名刺をカードホルダーに入れて名札として使用する。
この種のカードホルダーには特許文献１に記載されたものがある。特許文献１のカードホルダーは、表面が広く開放された開放部を有するホルダー表本体と、ホルダー表本体の裏面に重ねられ上下縁部が接合されたホルダー裏本体と、開放部に装着された透明体とで構成され、更にホルダー表本体とホルダー裏本体の上部に連通する開口が形成されている。そして、ホルダー表本体の開放部とホルダー裏本体の間に名刺を差し込み収納し、開口に紐等を通し、カードホルダーを首から下げたり、クリップで胸ポケットに取り付けたりして使用する。
【先行技術文献】
【特許文献】
【０００４】
【特許文献１】特開２００６−２０１２００号公報
【発明の概要】
【発明が解決しようとする課題】
【０００５】
しかしながら、上記したように従来においては名刺入れとカードホルダーとが別々になっているため、両方を準備する必要がある。
また、名刺入れは鞄等に入れて持ち歩くことが殆どであり、名刺交換の際には名刺入れを鞄等からいちいち取り出さなくてはならず面倒である。そればかりか、鞄の奥に名刺入れが入り込んでしまうと、名刺入れを素早く取り出すことができないこともある。特に、商談を前提とする商品展示会においては、多くの相手と名刺を交換するため、名刺を迅速に取り出すことが要求され、名刺入れを鞄からいちいち取り出すのは効率が悪い。
【０００６】
本発明は上記課題を解決するためになされたものであり、本発明は名刺入れとカードホルダーの両方の機能を兼ね備え、しかも名刺交換の際に名刺を迅速に取り出すことができる携帯用ケースの提供を、その目的とする。
【課題を解決するための手段】
【０００７】
請求項１の発明は、開口部を有する浅い箱状の箱状部と前記箱状部に設けられ前記開口部を閉鎖した閉鎖状態と開放した解放状態とに動作可能な蓋部とから成るケース本体と、前記蓋部を閉鎖状態に保持する蓋部保持手段と、前記ケース本体に設けられケース本体を身に着けるためにストラップ等の装着用具を連結するための連結部と、前記名刺ケース本体の表面または裏面の少なくとも一方にネームカードを保持するネームカード保持手段を具備することを特徴とする携帯用ケースである。
【０００８】
請求項２の発明は、請求項１に記載された携帯用ケースにおいて、ネームカード保持手段はネームカードの四隅を差し込んで保持する差込み部によって構成されていることを特徴とする携帯用ケースである。
【０００９】
請求項３の発明は請求項１または２に記載した携帯用ケースにおいて、蓋部には内側と外側とを連通させる連通孔が形成されていることを特徴とする携帯用ケースである。
【発明の効果】
【００１０】
本発明の携帯用ケースは、名刺入れとカードホルダーの両方に使用することができ、しかも名刺交換の際に名刺を迅速に取り出すことが可能である。
【図面の簡単な説明】
【００１１】
【図１】本発明の実施の形態に係る携帯用ケースの蓋部を開いた状態を外側から見た図である。
【図２】図１の携帯用ケースの蓋部を開いた状態の斜視図である。
【図３】図１の携帯用ケースの蓋部を閉じた状態の斜視図である。
【図４】図３のＡ−Ａ断面図である。
【図５】図３のＢ−Ｂ断面図である。
【図６】図１の携帯用ケースにストラップを連結した状態を示す斜視図である。
【図７】図１の携帯用ケースに名刺を装着する方法を示す斜視図である。
【図８】図１の携帯用ケースを首から下げている図である。
【発明を実施するための形態】
【００１２】
本発明の実施の形態に係る携帯用ケース１を図に従って説明する。
符号５は箱状部を示し、この箱状部５には蓋部６がヒンジ７を介して開閉自在に取り付けられている。
これら箱状部５、蓋部６及びヒンジ７によって、ケース本体が構成されている。
【００１３】
図２に示すように、箱状部５は開口部１０を有する浅い箱状に形成されており、底部９と、底部９の縁から立ち上がる壁部１１によって構成されている。壁部１１は前壁１１ａ、後壁１１ｂ及び左右の側壁１１ｃ、１１ｄを有している。
壁部１１の先端部には段差部１２が形成されており、この段差部１２は壁部１１の外面側に備えられている。
【００１４】
前壁１１ａの略中央には、連結部１３が外側に突出するようにして形成されており、この連結部１３には長方形の開口１４が形成されている。
【００１５】
箱状部５には左右一対の凹部１５が形成されており、凹部１５は連結部１３を挟んで配置されている。凹部１５は前壁１１ａの外側から底部９の外側に連続している。また、凹部１５の底面には凸部１６が形成され、この凸部１６は底部９の前端側に位置している。
【００１６】
蓋部６は、箱状部５と同様に天部１７と、天部１７の縁から立ち上がる壁部１８によって構成されており、開口部１９を有する浅い箱状に形成されている。壁部１８は前壁１８ａ、後壁１８ｂおよび左右の側壁１８ｃ、１８ｄを有している。
壁部１８の先端部には段差部２０が形成されており、この段差部２０は壁部１８の内面に備えられている。図５に示すように、段差部１２と段差部２０が重なり合うことにより、壁部１１と壁部１９の先端部どうしがぴったり嵌まり合うようになっている。
【００１７】
また、蓋部６には、連通孔２１と連通孔２４が形成されている。連通孔２１は後壁１８ｂと天部１７に連続して形成され、３つを一組として箱状部５のヒンジ７を挟んで左右両側に一組ずつ配置されている。また、連通孔２４は複数設けられ、壁部１８に沿うように配置されている。
【００１８】
天部１７の四隅には、三角形の孔２７がそれぞれ形成されている。
符号２８はネームカード保持手段としての名刺保持部を示し、この名刺保持部２８は孔２７の縁から立ち上がる立ち上がり部２８ａと、立ち上がり部２８ａに一体に形成された三角形の覆い部２８ｂによって構成されている。名刺保持部２８には開口２９が設けられ、この開口２９は天面１７の中央側に開いている。
この開口２９は差込み部を構成している。
【００１９】
蓋部６には一対の凹部３１が形成されており、この凹部３１は一対の凹部１５に対応する位置に備えられている。
天部１７には一対の係合片３２が、前壁１８ａ側の基端部を支点として揺動自在に設けられており、係合片３２は凹部３１の縁に配置されている。一対の係合片３２は一対の凹部１５、凹部３１に対応する位置にそれぞれ備えられており、後述するように係合片３２は凹部１５、凹部３１にはまり込む形状、サイズに形成されている。
係合片３２の先端部の内側には凸部３３が形成され、係合片３２の先端部の外側には指掛け凸部３４が形成されている。
凸部１６と、凸部３３を備えた係合片３２によって蓋部保持手段が構成されている。
【００２０】
次に、携帯用ケース１の使用方法について説明する。
まず、図２で示すように、箱状部５にネームカードとしての名刺Ｃを入れ、蓋部６を閉じて箱状部５の開口部１０を閉鎖する。そして、係合片３２を、凹部１５、３１に嵌まるように押し込む。すると凸部３３が凸部１６を乗り越えて、図４に示すように、凸部３３が凸部１６に係合して蓋部６が閉鎖状態に保持される。
【００２１】
カードホルダーとして使用するときは、図６に示すように、連結部１３の開口１４にストラップ４１を通す。
また、図７に示すように携帯用ケース１の４つの開口２９に名刺Ｃの四隅をそれぞれ差し込み、名刺Ｃを保持させる。次に、図８に示すように携帯用ケースの表面を見せるようにしてストラップ４１を首にかけ、携帯用ケース１を名札として使用する。
図６に示すように、ストラップ４１のクリップ４２によって胸ポケットに挟んで使用することもできる。
【００２２】
名刺Ｃを取り出すときは、指掛け凸部３４に指を掛けて前壁１１ａ方向に引き、凸部３３と凸部１６の係合を外す。そして、係合片３２を凹部１５、３１から外してから蓋部６を開いて、名刺Ｃを取り出す。
【００２３】
従って、イベント等で携帯用ケース１に名刺Ｃを入れて名札として使用しているとき、首にかけた携帯用ケース１から名刺Ｃを容易に取り出すことができる。よって、名刺交換の際に名刺Ｃを迅速に取り出すことが可能である。
即ち、携帯用ケース１は名刺入れとして使用することができ、名刺Ｃを名刺保持部２８に差し込めば、カードホルダーとして使用することができる。従って、携帯用ケース１は名刺入れとカードホルダーの両方の機能を兼ね備えることになる。
【００２４】
なお、携帯用ケース１は、名刺Ｃではなく二酸化塩素剤などの殺菌剤を入れて使用することもできる。
即ち、箱状部５に二酸化塩素剤などの殺菌剤を入れておけば、連通孔２１、２４を通して気化した二酸化塩素が放出し、この殺菌作用によって周囲を衛生的に保つことができる。殺菌剤等を入れた携帯用ケース１を身に着けていれば、外出時でもインフルエンザの予防効果を期待できる。
また、携帯用ケース１に香水を染み込ませた不織布等を入れておけば、連通孔２１、２４を通して、使用者等の周囲に香気成分を飛散させることができる。
【００２５】
以上、本発明の実施の形態について詳述してきたが、具体的構成はこの実施の形態に限られるものではなく、本発明の要旨を逸脱しない範囲における設計の変更などがあっても発明に含まれる。
例えば、上記実施の形態では、ネームカード保持手段として、立ち上がり部２８ａと、立ち上がり部２８ａに一体に形成された三角形の覆い部２８ｂとから成る名刺保持部２８を示したが、本発明はこれに限定されず、名刺を収容するポケット等によってネームカード保持手段を構成してもよい。
また、上記実施の形態では、名刺をカードホルダーに保持させる例を示したが、社員証やＩＣカード等をカードホルダーに保持させてもよい。
【産業上の利用可能性】
【００２６】
本発明の携帯用ケースは、名刺ケース、カードホルダーの製造業で利用することができる。
【符号の説明】
【００２７】
１…携帯用ケース    ５…箱状部    ６…蓋部    ７…ヒンジ    ９…底部
１０…開口部    １１…壁部    １１ａ…前壁    １１ｂ…後壁
１１ｃ、１１ｄ…側壁    １２…段差部    １３…連結部    １４…開口
１５…凹部    １６…凸部    １７…天部    １８…壁部
１８ａ…前壁    １８ｂ…後壁    １８ｃ、１８ｄ…側壁    １９…開口部
２０…段差部    ２１…連通孔    ２４…連通孔    ２７…孔
２８…名刺保持部    ２８ａ…立ち上がり部    ２８ｂ…覆い部
２９…開口    ３１…凹部    ３２…係合片
３３…凸部    ３４…指掛け凸部    ４１…ストラップ
４２…クリップ    Ｃ…名刺
【図１】
2014041288.tif 000003
【図２】
2014041288.tif 000004
【図３】
2014041288.tif 000005
【図４】
2014041288.tif 000006
【図５】
2014041288.tif 000007
【図６】
2014041288.tif 000008
【図７】
2014041288.tif 000009
【図８】
2014041288.tif 000010